(57)【要約】【課題】物を置く場所をきれいに保ちやすく、かつ、物を置くスペースを拡げることができる墓前台および墓を提供する。【解決手段】台本体が、内部に収納室２６を有し、収納室２６に前部開口２７を有している。台本体は、底板２１と１対の花立て２２と蓋２３とを有している。底板２１は、収納室２６の床を形成している。各花立て２２は、収納室２６の側壁を形成するよう、底板２１の上に所定の間隔をあけて設けられている。蓋２３は、収納室２６の上方を被覆して、各花立て２２の上部に開閉可能に設けられている。前部扉２４が、前部開口２７の下縁に沿った横方向の軸線を中心として縦方向に回転して、前部開口２７を開閉可能に設けられている。前部扉２４は、前部開口２７を開いたとき、物を載せることができる載置部２４ｄを有している。【選択図】図２
0003134486.tif 000002
【実用新案登録請求の範囲】
【請求項１】
台本体と前部扉とを有し、
前記台本体は両側部と前記両側部で支持された天板とを備えて前部開口を有し、
前記前部扉は、前記前部開口の下縁に沿った横方向の軸線を中心として回転して前記前部開口を開閉可能に前記両側部の下部に取り付けられ、上部を前方に開いたとき水平に支持される載置部を背面に有することを、
特徴とする墓前台。
【請求項２】
前記台本体は底板を有し、
前記両側部は前記底板の両端に取り付けられた１対の花立てから成り、
前記天板は前記両側部の上部に開閉可能に設けられた蓋から成り、
前記前部扉は上部を前方に開いたとき前記底板の上に載って前記載置部が水平に支持される構成を有することを、
特徴とする請求項１記載の墓前台。
【請求項３】
納骨堂と請求項２記載の墓前台とを有し、
前記納骨堂は上部に納骨用開口を有し、
前記底板は貫通口を有し、
前記墓前台は前記貫通口を開閉可能な中蓋を有し、前記貫通口が前記納骨用開口に連通するよう前記納骨堂の上に設けられていることを、
特徴とする墓。
【考案の詳細な説明】
【技術分野】
【０００１】
本考案は、墓前台および墓に関する。
【背景技術】
【０００２】
従来の墓として、納骨室の上部に配置され、前面に観音開きの開閉扉が設けられて箱体状に形成された納骨香炉台を有するものがある（例えば、特許文献１参照）。
【０００３】
【特許文献１】特開２００４−６８４２６号公報
【考案の開示】
【考案が解決しようとする課題】
【０００４】
特許文献１記載の墓では、納骨香炉台の上面に経本などを載せることができるが、風雨などにより納骨香炉台の上面が濡れたり汚れたりしやすいという課題があった。このため、使用前に納骨香炉台の上面を清掃する必要があった。また、納骨香炉台しか置けないような狭い墓地では、納骨香炉台の上面にしか物を載せことができず、物を載せるスペースが狭いという課題があった。
【０００５】
本考案は、このような課題に着目してなされたもので、物を置く場所をきれいに保ちやすく、かつ、物を置くスペースを拡げることができる墓前台および墓を提供することを目的とする。
【課題を解決するための手段】
【０００６】
上記目的を達成するために、本考案に係る墓前台は、台本体と前部扉とを有し、前記台本体は両側部と前記両側部で支持された天板とを備えて前部開口を有し、前記前部扉は、前記前部開口の下縁に沿った横方向の軸線を中心として回転して前記前部開口を開閉可能に前記両側部の下部に取り付けられ、上部を前方に開いたとき水平に支持される載置部を背面に有することを、特徴とする。
【０００７】
本考案に係る墓前台は、好適には下台や中台の前に置いて使用される。前部扉を、前部開口の下縁に沿った横方向の軸線を中心として回転させ、前方に開くことができる。このとき、前部扉を前机として使用し、載置部に経本などを載せることができる。前部扉は、回転させて前部開口を閉じることができる。前部扉を閉じたとき、載置部は台本体の内側を向くため、外側からの風雨により載置部が濡れたり汚れたりしにくい。
【０００８】
また、台本体の上だけでなく、前方に前部扉を開くことにより載置部にも物を置くことができるので、物を置くスペースを拡げることができる。載置部を前机として使用することにより、前机を省略することができる。台本体の内部には、香炉等を収納することができる。なお、本考案に係る墓前台は、石製が好ましいが、他の材質から成っていてもよい。前部扉の前面に、家紋や模様が彫り込まれていてもよい。前部扉は、前部開口を閉じた状態で保持するための保持機構や、前部開口を開くときの勢いを抑えるためのブレーキ機構を有していてもよい。
【０００９】
本考案に係る墓前台で、前記台本体は底板を有し、前記両側部は前記底板の両端に取り付けられた１対の花立てから成り、前記天板は前記両側部の上部に開閉可能に設けられた蓋から成り、前記前部扉は上部を前方に開いたとき前記底板の上に載って前記載置部が水平に支持される構成を有することが好ましい。この場合、花立てを有するため、別々に設置する場合に比べて、設置スペースを節約することができる。また、天板が蓋から成るため、天板を取り外して台本体の内部への物の収納を容易にすることができる。前部扉は上部を前方に開いたとき底板の上に載るので、載置部を安定させることができる。
【００１０】
本考案に係る墓は、納骨堂と本考案に係る墓前台とを有し、前記納骨堂は上部に納骨用開口を有し、前記底板は貫通口を有し、前記墓前台は前記貫通口を開閉可能な中蓋を有し、前記貫通口が前記納骨用開口に連通するよう前記納骨堂の上に設けられていることを、特徴とする。
【００１１】
本考案に係る墓は、貫通口が納骨用開口に連通しているため、前部扉を開けて中蓋を取り外し、前部開口から貫通口、納骨用開口を通して納骨堂の内部に骨壺を納めることができる。納骨後、中蓋で貫通口を覆い、前部扉を閉じることにより、納骨用開口を隠すことができる。
【考案の効果】
【００１２】
本考案によれば、物を置く場所をきれいに保ちやすく、かつ、物を置くスペースを拡げることができる墓前台および墓を提供することができる。
【考案を実施するための最良の形態】
【００１３】
以下、図面に基づき本考案の実施の形態について説明する。
図１乃至図６は、本考案の実施の形態の墓前台および墓を示している。
図１に示すように、墓１は、納骨堂２と墓前台３とを有している。
【００１４】
なお、図１に示すように、墓１は、その他に、地表を覆う床材４と、床材４の上に載せられた下台５と、下台５の上の後ろ寄りに載せられた中台６と、中台６の上に載せられた上台７と、上台７の上に立てられた棹８とを有している。これらの墓１の構成部材は、すべて石材から成っている。
【００１５】
図１に示すように、納骨堂２は、床材４の下の地中に函形に形成され、側壁１１と底部１２とを有している。納骨堂２は、側壁１１と底部１２と床材４とで取り囲まれた内側に納骨室１３を有し、納骨室１３の上部の床材４および下台５に納骨用開口１４を有している。納骨用開口１４は、矩形状で、床材４および下台５を厚さ方向に貫通して、中台６の前の下台５の上面に設けられている。納骨用開口１４は、骨壺を両手で持って納骨室１３に収容することができる程度の大きさに形成されている。
【００１６】
図２乃至図６に示すように、墓前台３は、底板２１と１対の花立て２２と蓋２３と前部扉２４と中蓋２５とを有している。底板２１と各花立て２２と蓋２３とは、台本体を構成している。底板２１は、所定の厚みを有し、ほぼ矩形状の外形を成している。底板２１は、前部側面の中央に、矩形状に前方に突出して設けられた前台部２１ａを有している。底板２１は、ほぼ中央に、厚さ方向に貫通した矩形状の貫通口２１ｂを有している。
【００１７】
各花立て２２は、ほぼ縦長の直方体形状を成し、間に貫通口２１ｂを挟むよう底板２１の上に所定の間隔を開けて配置されている。各花立て２２は、背面を底板２１の後部側面にそろえて配置されている。各花立て２２は、前面の下部に前方に突出して設けられた軸用突出部２２ａを有している。各花立て２２の軸用突出部２２ａは、互いに対向するよう設けられた軸用対向面２２ｂを有し、軸用対向面２２ｂに所定の深さを有する軸用孔２２ｃを有している。各花立て２２は、前面の外側の側縁部に、滑らかな曲面で形成された嵌合凹部２２ｄを有している。また、各花立て２２は、上面に花を生けるための花立孔２２ｅを有している。
【００１８】
蓋２３は、底板２１よりやや大きい矩形の平板状を成し、所定の厚みを有している。蓋２３は、上面の前縁および両側縁に、装飾用の段部２３ａが形成されている。蓋２３は、上面の前縁および両側縁の角、ならびに前面の両端部の角が、すべて面取りされている。蓋２３は、各花立て２２の上部に架け渡されて配置されている。蓋２３は、後部側面を各花立て２２の背面にそろえて配置されている。
【００１９】
図２乃至図６に示すように、墓前台３は、底板２１と各花立て２２と蓋２３とで囲まれた内部に収納室２６を有し、収納室２６の前方に矩形状の前部開口２７を有している。墓前台３は、底板２１が収納室２６の床を形成し、各花立て２２が収納室２６の側壁を形成している。また、墓前台３は、蓋２３が収納室２６の上方を開閉可能に被覆している。なお、墓前台３は、収納室２６の後方に、底板２１と各花立て２２と蓋２３とで囲まれた後部開口２８を有している。
【００２０】
前部扉２４は、所定の厚さを有する板状で、ほぼ矩形の平面形状を成している。前部扉２４は、各花立て２２の高さよりやや短い幅と、各花立て２２の外側面の間隔と同じ長さを有している。前部扉２４は、一方の側面の中央に、各花立て２２の軸用突出部２２ａの高さと同じ突出量で、矩形状に突出した回転突出部２４ａを有している。回転突出部２４ａは、前部扉２４の長さ方向に沿って、各花立て２２の軸用対向面２２ｂの間隔よりわずかに短い長さを有している。回転突出部２４ａは、長さ方向の互いに外側に向いた面に、互いに反対方向に突出して設けられ、各花立て２２の軸用孔２２ｃに挿入可能な円柱状の回転軸部２４ｂを有している。なお、前部扉２４は、前面に花模様（図示せず）が彫り込まれている。
【００２１】
前部扉２４は、各回転軸部２４ｂが各花立て２２の軸用孔２２ｃに挿入され、各回転軸部２４ｂを中心として収納室２６の外側で縦方向に回転して、前部開口２７を開閉可能に設けられている。これにより、前部扉２４は、前部開口２７の下縁に沿った横方向（水平方向）の軸線を中心として回転可能になっている。前部扉２４は、前部開口２７を閉じたときに収納室２６の側になる内側面の両端に、前部開口２７を閉じたとき、各花立て２２の嵌合凹部２２ｄに嵌合するよう設けられた縁部２４ｃを有している。前部扉２４は、収納室２６の外側に向かって前部開口２７を開いたとき、内側面がほぼ水平になるよう構成されている。前部扉２４は、内側面の各縁部２４ｃの間が載置部２４ｄを成しており、収納室２６の外側に向かって前部開口２７を開いたとき、内側面の各縁部２４ｃの間に物を載せることができる。また、前部扉２４は、前部開口２７を閉じたときの上部側面に、蓋２３との間で指を挿入可能に設けられた切込部２４ｅを有している。前部扉２４は、切込部２４ｅに指を入れて容易に開閉できるようになっている。
【００２２】
中蓋２５は、薄い矩形板から成り、貫通口２１ｂを覆うよう、収納室２６の内部で底板２１の上に着脱可能に配置されている。
図１に示すように、墓前台３は、貫通口２１ｂが納骨用開口１４に連通するよう、中台６の前の下台５の上の、納骨用開口１４の上に設けられている。墓前台３は、後部開口２８が中台６で塞がれるよう配置されている。
【００２３】
次に、作用について説明する。
墓前台３は、前部扉２４を、前部開口２７の下縁に沿った横方向の軸線を中心として、収納室２６の外側に向かって下方向に回転させることにより、前部開口２７を容易に開けることができ、収納室２６の内部に香炉などの物を収納することができる。このとき、載置部２４ｄに経本などの物を置くことができ、前部扉２４を前机などの物を載せる台として使用可能である。前部扉２４を上方向に回転させることにより、前部開口２７を閉じることができる。前部扉２４を閉じたとき、載置部２４ｄが収納室２６の側に位置して外部に現れないため、風雨により載置部２４ｄが濡れたり汚れたりしない。このため、物を置く載置部２４ｄをきれいに保ちやすい。
【００２４】
また、台本体の底板２１の面積分のスペースしかないような狭い墓地であっても、台本体の蓋２３の上だけでなく、収納室２６の外側に向かって前部扉２４を開くことにより載置部２４ｄにも物を置くことができ、物を置くスペースを拡げることができる。載置部２４ｄを前机として使用することにより、前机を省略することができる。収納室２６の内部には、香炉等を収納することができる。前机として使用できる載置部２４ｄと花立て２２とが一体化しているため、別々に設置する場合に比べて、狭いスペースでも設置することができる。
【００２５】
墓１は、貫通口２１ｂが納骨用開口１４に連通するよう、墓前台３が納骨用開口１４の上に設けられているため、前部扉２４を開けて中蓋２５を取り外し、前部開口２７から貫通口２１b、収納室２６、納骨用開口１４を通して納骨堂２の内部に骨壺を納めることができる。納骨後、中蓋２５で貫通口２１ｂを覆い、前部扉２４を閉じることにより、納骨用開口１４を隠すことができる。
【図面の簡単な説明】
【００２６】
【図１】本考案の実施の形態の墓を示す一部を断面表示した側面図である。
【図２】本考案の実施の形態の墓前台を示す（ａ）正面図、（ｂ）前部扉を開けた使用状態を示す正面図である。
【図３】図２に示す墓前台の（ａ）右側面図、（ｂ）前部扉を開けた使用状態を示す右側面図である。
【図４】図２に示す墓前台の（ａ）平面図、（ｂ）蓋を取り外し、前部扉を開けた使用状態を示す平面図である。
【図５】図２に示す墓前台の背面図である。
【図６】図２に示す墓前台の底面図である。
【符号の説明】
【００２７】
１    墓
２    納骨堂
３    墓前台
２１  底板
２２  花立て
２３  蓋
２４  前部扉
２５  中蓋
２６  収納室
２７  前部開口
【図１】
0003134486.tif 000003
【図２】
0003134486.tif 000004
【図３】
0003134486.tif 000005
【図４】
0003134486.tif 000006
【図５】
0003134486.tif 000007
【図６】
0003134486.tif 000008